(57)【特許請求の範囲】
【請求項１】
電解槽がハウジング内に収容された電解水生成装置であって、
前記ハウジングの底部下方には、前記ハウジングの側面によって囲まれた空間を有し、
前記ハウジングの底部には、下方に突出する突出部が形成されており、
前記空間は、前記突出部によって、第１の空間と第２の空間とに区画されており、
前記第１の空間は、前記ハウジングの一側面に形成された開口部を通じて、外部空間と連通しており、
前記第２の空間において、前記ハウジングの底部上面にスピーカが配設されており、
前記第２の空間は、前記スピーカの共鳴室を構成している、電解水生成装置。
【請求項２】
前記ハウジングは、対向する長側面及び対向する短側面を有する略直方体状であり、
前記ハウジングの底部は、前記長側面及び前記短側面の下端部よりも上方に位置し、
前記突出部は、前記ハウジングの底部において、前記対向する短側面の間の部位に形成されており、
前記第１の空間は、一方の前記短側面に形成された開口部を通じて、外部空間と連通している、請求項１に記載の電解水生成装置。
【請求項３】
前記第１の空間には、前記ハウジング内に連通する配水管及び／又は電源コードが配設されるとともに、該配水管及び／又は電源コードは、前記ハウジングの一側面に形成された前記開口部から、外部空間に導出されている、請求項１に記載の電解水生成装置。
【請求項４】
前記突出部は、前記ハウジングの側面の下端部の位置まで、下方に突出している、請求項１に記載の電解水生成装置。
【請求項５】
前記ハウジングの底部上面に配設された前記スピーカは、キャップによって覆われている、請求項１に記載の電解水生成装置。
【請求項６】
前記対向する短側面のうち、少なくとも一方の短側面は、円弧状になっている、請求項２に記載の電解水生成装置。
【請求項７】
前記ハウジングは、該ハウジングの底部を構成する底面パネルと、前記電解槽を収容する外装パネルとで構成されており、
少なくも、前記底面パネルは、対向する長側面及び対向する短側面を有する略直方体状である、請求項２に記載の電解水生成装置。
【発明の詳細な説明】
【技術分野】
【０００１】
本発明は、水を電気分解することによって電解水を生成する電解水生成装置に関する。
【背景技術】
【０００２】
一般に、家庭用の電解水生成装置は、水道水を浄水する浄水器と、浄水器で浄水した水を電気分解することによって電解水を生成する電解槽とを備え、これらが、ハウジング内に収容されている。
【０００３】
電解槽で生成された電解水のうち、陰極室で生成された水素水（還元水）は、ハウジングに取り付けられた吐水管から取り出され、陽極室で生成された酸性水は、ハウジングに取り付けられた排出口から排出される。また、吐水管から取り出される電解水の水質等を表示するために、ハウジングの側面には、電解水生成装置の使用状況を表示する表示部が設けられている。さらに、表示部で表示される電解水生成装置の使用状況を、メロディや音声でも知らせるために、ハウジング内部にスピーカを設けている場合もある。
【０００４】
特許文献１には、電解水生成装置の本体ケースの底板上面に、環状突部を設けるとともに、この環状突部の上面にスピーカを取り付け、当該環状突部で囲まれた空間を共鳴室とした電解水生成装置が開示されている。
【先行技術文献】
【特許文献】
【０００５】
【特許文献１】特開２００７−１９６０７８号公報
【発明の概要】
【発明が解決しようとする課題】
【０００６】
特許文献１に開示されたスピーカの共鳴室は、本体ケースの底板上面に設けられた環状突部で囲まれた空間によって構成されている。
【０００７】
しかしながら、本体ケース内には、浄水器や電解槽の他、電解槽に印加する電圧等を制御する制御基板等の構成部材が収容されているため、本体ケース内に、共鳴室用の環状突部をさらに設けると、これら構成部材の配置等が制約され、電解水生成装置の小型化、薄型化の妨げとなる。
【０００８】
本発明は、上記課題を解決するためになされたもので、その主な目的は、スピーカの共鳴室を備えたコンパクトな電解水生成装置を提供することにある。
【課題を解決するための手段】
【０００９】
本発明は、電解槽を収容するハウジングの底部に、下方に突出する突出部を設け、当該突出部によって、ハウジングの底部下方の空間を、外部空間と連通した空間と、外部空間と連通していない空間とに区画し、外部空間に連通していない空間において、ハウジングの底部上面にスピーカを配設するとともに、当該空間を共鳴室としたものである。
【００１０】
すなわち、本発明に係る電解水生成装置は、電解槽がハウジング内に収容された電解水生成装置であって、ハウジングの底部下方には、ハウジングの側面によって囲まれた空間を有し、ハウジングの底部には、下方に突出する突出部が形成されており、上記空間は、突出部によって、第１の空間と第２の空間とに区画されており、第１の空間は、ハウジングの一側面に形成された開口部を通じて、外部空間と連通しており、第２の空間において、ハウジングの底部上面にスピーカが配設されており、第２の空間は、スピーカの共鳴室を構成していることを特徴とする。
【００１１】
ある好適な実施形態において、上記ハウジングは、対向する長側面及び対向する短側面を有する略直方体状であり、ハウジングの底部は、長側面及び前記短側面の下端部よりも上方に位置し、突出部は、ハウジングの底部において、対向する短側面の間の部位に形成されており、第１の空間は、一方の前記短側面に形成された開口部を通じて、外部空間と連通している。
【００１２】
また、上記第１の空間には、ハウジング内に連通する配水管及び／又は電源コードが配設されるとともに、配水管及び／又は電源コードは、ハウジングの一側面に形成された開口部から、外部空間に導出されている。
【発明の効果】
【００１３】
本発明によれば、ハウジングの底部に設けた突出部によって区画された空間を、スピーカの共鳴室とすることによって、コンパクトな電解水生成装置を提供することができる。
【図面の簡単な説明】
【００１４】
【図１】本発明の一実施形態における電解水生成装置の外観を模式的に示した斜視図である。
【図２】本発明の一実施形態におけるハウジングの分解斜視図である。
【図３】図１のIII−III線に相当する断面図である。
【発明を実施するための形態】
【００１５】
以下、本発明の実施形態を図面に基づいて詳細に説明する。なお、本発明は、以下の実施形態に限定されるものではない。また、本発明の効果を奏する範囲を逸脱しない範囲で、適宜変更は可能である。
【００１６】
図１は、本発明の一実施形態における電解水生成装置１００の外観を模式的に示した斜視図である。また、図２は、本発明の一実施形態におけるハウジング１０の分解斜視図である。また、図３は、図１のIII−III線に相当する断面図である。
【００１７】
なお、本実施形態における説明では、電解水生成装置１００を、吐水管が鉛直方向の上になるように配置した状態で、吐水管のある方向を「上」、その反対方向を「下」とし、例えば、「上面」、「下面」等の表現を用いている。
【００１８】
図３に示すように、本実施形態における電解水生成装置１００は、水道水を浄水する浄水器４０と、浄水器４０で浄水した水を電気分解することによって電解水を生成する電解槽４１と、電解槽４１に印加する電圧等を制御する制御基板４２とを備え、これらが、ハウジング１０内に収容されている。
【００１９】
本実施形態におけるハウジング１０は、図２に示すように、外装パネル１１と、底面パネル１２とで構成されている。外装パネル１１は、対向する長側面１１ａ、及び対向する短側面１１ｂを有する略直方体状である。また、底面パネル１２は、その上面１２ｃにおいて、下方に突出する突出部１３が形成されている。外装パネル１１は、その長側面１１ａ及び短側面１１ｂが、底面パネル１２の長側面１２ａ及び短側面１２ｂを覆うように組み付けられる。これにより、底面パネル１２の上面１２ｃは、図３に示すように、ハウジング１０の底部を構成する。以下、外装パネル１１の長側面１１ａ、短側面１１ｂ、及び上面１１ｃを、ハウジング１０の長側面、短側面、上面と呼び、底面パネル１２の上面１２ｃを、ハウジング１０の底部と呼ぶ。
【００２０】
ハウジング１０の底部１２ｃは、図３に示すように、ハウジング１０の長側面１１ａ及び短側面１１ｂの下端部よりも上方に位置している。また、ハウジング１０の底部１２ｃにおいて、対向する短側面１１ｂ、１１ｂの間の部位に、下方に突出する突出部１３が形成されている。これにより、ハウジング１０の底部１２ｃ下方であって、対向する長側面１１ａ、１１ａ、及び対向する短側面１１ｂ、１１ｂによって囲まれた空間は、突出部１３によって、第１の空間２０と第２の空間２１とに区画されている。なお、第１及び第２の空間２０、２１は、図３に示すように、電解水生成装置１００が、キッチン等に配置されたとき、その設置面６０によって、ハウジング１０の底部１２ｃ下方において塞がれた状態になる。
【００２１】
また、図２に示すように、外装パネル１１の一方の短側面１１ｂには、開口部１５が形成され、底面パネル１２の一方の短側面１２ｂにも、開口部１５と対応する位置に開口部１６が形成されている。これにより、図１及び図３に示すように、ハウジング１０の一方の短側面１１ｂには、開口部１５、１６が形成されており、これにより、第１の空間２０は、外部空間と連通している。
【００２２】
次に、図３を参照しながら、電解水生成装置１００における電解水（水素水、酸性水）の生成方法について説明する。
【００２３】
図３に示すように、ハウジング１０の短側面１１ｂに形成された開口部１５、１６を通って、給水管５０が浄水器４０に接続されている。水道水等の水は、この給水管５０を通って、浄水器４０に供給され、浄水器４０で浄水された水は、配水管５２を通って、電解槽４１に供給される。電解槽４１内で生成された電解水のうち、一方の電解水（例えば、水素水）は、配水管５４を通って、ハウジング１０の上面１１ｃに取り付けられた吐水管５５から、外部に吐水される。また、電解槽４１内で生成された電解水のうち、他方の電解水（例えば、酸性水）は、排水管５３を通って、外部に排出される。
【００２４】
ここで、第１の空間２０には、図３に示すように、ハウジング１０内に連通する配水管、すなわち、浄水器４０に連通する給水管５０と、電解槽４１に連通する排水管５３とが、配設されている。また、制御基板４２に家庭用電源を供給する電源コード（不図示）を、第１の空間２０に配設させてもよい。これにより、配水管及び／又は電源コードは、外部に露出しないため、外観をすっきりさせることができる。一方、第２の空間２１には、図３に示すように、ハウジング１０の底部１２ｃ上面にスピーカ３０が配設されている。
【００２５】
ここで、第１の空間２０には、配水管及び／又は電源コードが配設されているため、ハウジング１０の一方の短側面１１ｂには、これらを外部に導出するための開口部１５、１６が形成されている。一方、第２の空間２１には、配水管及び／又は電源コードが配設されないため、ハウジング１０の他方の短側面１１ｂには、開口部が形成されていない。
【００２６】
すなわち、第２の空間２１は、突出部１３によって、第１の空間２０と区画されて、外部空間と連通していない空間をなしている。従って、第２の空間２１に入ったスピーカ３０の音は、外部に漏れることはなく、また、配水管及び／又は電源コードによって攪乱されることもない。すなわち、第２の空間２１は、その上方に配設したスピーカ３０の共鳴室として機能することができる。これにより、スピーカ専用の共鳴室を設けなくても、スピーカ３０から、十分な音量と音質の音を取り出すことができる。
【００２７】
以上、説明したように、本実施形態における電解水生成装置１００は、電解槽４１を収容するハウジング１０の底部１２ｃに、下方に突出する突出部１３を設け、当該突出部１３によって、ハウジング１０の底部１２ｃ下方の空間を、外部空間と連通した第１の空間２０と、外部空間と連通していない第２の空間２１とに区画し、外部空間に連通していない第２の空間２１において、ハウジング１０の底部１２ｃ上面にスピーカ３０を配設したものである。これにより、第２の空間２１を、スピーカ３０の共鳴室とすることができるため、コンパクトな電解水生成装置１００を実現することができる。
【００２８】
本実施形態において、突出部１３は、第２の空間２１を、外部空間に連通した第１の空間２０と区画する機能を持つ。従って、第２の空間２１の共鳴室としての機能をより発揮させるためには、第２の空間２１は、できるだけ塞がれた空間であることが好ましい。そのためには、突出部１３は、ハウジング１０の長側面１１a及び短側面１１ｂの下端部の位置まで、下方に突出していることが好ましい。
【００２９】
また、ハウジング１０の底部１２ｃ上面に配設されたスピーカ３０は、キャップ３１によって覆われていることが好ましい。これにより、スピーカ３０の音が、ハウジング１０内に拡散するのを防ぐことができる。
【００３０】
また、ハウジング１０の長側面１１ａまたは短側面１１ｂには、スピーカ３０の音を、第２の空間２１から外部空間に出す小穴（不図示）が、複数個、形成されていることが好ましい。これにより、共鳴室で拡大されたスピーカ３０の音を、効率よく外部に伝えることができる。
【００３１】
以上、本発明を好適な実施形態により説明してきたが、こうした記述は限定事項ではなく、もちろん、種々の改変が可能である。
【００３２】
例えば、上記実施形態では、ハウジング１０は、対向する長側面１１ａ、及び対向する短側面１１ｂを有する略直方体状としたが、これに限定されず、例えば、筒状のものであってもよい。また、図１に示すように、対向する短側面１１ｂのうち、少なくとも一方の短側面１１ｂが円弧状になっていてもよい。
【００３３】
また、上記実施形態において、突出部１３の形状や大きさ、あるいは、突出部１３を形成する位置は、特に制限されない。また、第２の空間２１の大きさも特に制限されず、スピーカ３０の特性に合わせて、適宜、共鳴室として機能する大きさにすればよい。なお、ハウジング１０が、長側面及び短側面を有する略直方体状であれば、対向する短側面１１ｂ、１１ｂの間において、突出部１３を形成する部位の位置を調整することによって、容易に、第２の空間の大きさを定めることができる。
【００３４】
また、第２の空間２１は、必ずしも、外部空間に連通していない空間である必要はなく、共鳴室としての機能が損なわれない範囲で、外部空間と連通していてもよい。
【００３５】
また、上記実施形態では、ハウジング１０を、外装パネル１１と底面パネル１２とで構成したが、これに限定されず、ハウジング１０の底部１２ｃ下方に、ハウジング１０の長側面１１ａ及び短側面１１ｂによって囲まれた一定の空間があれば、どのような構成のものであってもよい。
【００３６】
また、上記実施形態では、外装パネル１１と底面パネル１２の長側面１１ａ及び短側面１１ｂの幅を略同一にしたが、例えば、ハウジング１０の底部を構成する底面パネル１２を長側面１１ａ及び短側面１１ｂを有する略直方体状とし、電解槽４１を収容する外装パネル１１を筒状としてもよい。この場合、底面パネル１２のみによって、第１の空間２０及び第２空間（共鳴室）２１が形成される。
【符号の説明】
【００３７】
１０      ハウジング 
１１      外装パネル 
１１ａ    長側面 
１１ｂ    短側面 
１１ｃ    上面 
１２      底面パネル 
１２ａ    長側面 
１２ｂ    短側面 
１２ｃ    上面 （ハウジングの底部）
１３      突出部 
１５、１６      開口部 
２０      第１の空間 
２１      第２の空間（共鳴室） 
３０      スピーカ 
３１      キャップ 
４０      浄水器 
４１      電解槽 
４２      制御基板 
５０      給水管 
５２、５４      配水管 
５３      排水管 
５５      吐水管 
６０      設置面 
１００    電解水生成装置 
【要約】
【課題】スピーカの共鳴室を備えたコンパクトな電解水生成装置を提供する。
【解決手段】電解槽４１がハウジング１０内に収容された電解水生成装置１００であって、ハウジング１０の底部１２ｃ下方には、ハウジング１０の側面１１ａ、１１ｂによって囲まれた空間を有し、ハウジング１０の底部１２ｃには、下方に突出する突出部１３が形成されており、上記空間は、突出部１３によって、第１の空間２０と第２の空間２１とに区画されており、第１の空間２０は、ハウジング１０の一側面に形成された開口部１５、１６を通じて、外部空間と連通しており、第２の空間２１において、ハウジング１０の底部１２ｃ上面にスピーカ３０が配設されており、第２の空間２１は、スピーカ３０の共鳴室を構成している。
【選択図】図３【図１】
0005572735.tif 000002
【図２】
0005572735.tif 000003
【図３】
0005572735.tif 000004